(57)【特許請求の範囲】
【請求項１】
光軸上に配置されたシャッタ装置と、
光軸上に配置されたレンズを保持するレンズキャリア、及び前記レンズキャリアを光軸方向に移動させるアクチュエータをそれぞれ有し、前記シャッタ装置の上流側及び下流側にそれぞれ配置された上流側レンズ移動装置及び下流側レンズ移動装置と、
光軸と平行に配置され、前記レンズキャリアを光軸方向に沿って移動できるようにガイドするガイド軸と、を備えたレンズ鏡筒において、
前記ガイド軸を挟んで前記光軸と反対側に、前記ガイド軸の側方に配されるように、前記上流側レンズ移動装置及び前記下流側レンズ移動装置の各アクチュエータをそれぞれ近接させて配置し、
前記ガイド軸を挟んで前記光軸と反対側に、前記下流側レンズ移動装置のアクチュエータと近接させて前記シャッタ装置のアクチュエータを配置するとともに、
前記上流側レンズ移動装置、前記下流側レンズ移動装置、及び前記シャッタ装置の各アクチュエータの端子を同一平面上または同一円筒面上に配置し、共通の基板に接続したことを特徴とするレンズ鏡筒。
【請求項２】
前記ガイド軸の近傍に、前記上流側レンズ移動装置及び前記下流側レンズ移動装置のレンズキャリアの位置をそれぞれ検知する各検知装置を設け、前記検知装置の端子を、前記各アクチュエータの端子と同一平面上または同一円筒面上に配置したことを特徴とする請求項１記載のレンズ鏡筒。
【請求項３】
前記シャッタ装置、前記上流側レンズ移動装置、前記下流側レンズ移動装置、前記ガイド軸及び前記各検出装置を鏡筒本体内に収納し、前記各端子を前記鏡筒本体に設けられた開口から前記鏡筒本体外に突出させたことを特徴とする請求項２記載のレンズ鏡筒。
【発明の詳細な説明】
【技術分野】
【０００１】
本発明は、光軸方向に配列された複数枚のレンズを移動させることによって、ズーム倍率を変更する機能を備えたレンズ鏡筒に関するものである。
【背景技術】
【０００２】
近年、光学系によって結像された被写体像を撮像する撮像素子を備えたデジタルカメラが一般に普及している。このデジタルカメラでは、レンズを移動させることによって、撮像素子にて得られる画像信号から合焦位置を特定する、所謂オートフォーカス機能を備えていることが一般的である。このようなオートフォーカス機能を備えたデジタルカメラでは、レンズを保持したレンズ保持枠と、このレンズ保持枠の移動方向を光軸方向にガイドするガイド軸を備えたレンズ移動装置が組み込まれている（特許文献１）。このオートフォーカス機能が有効となると例えば駆動モータ等の駆動源が駆動し、その駆動力がレンズ保持枠に伝達されることによってレンズ保持枠が光軸方向に微小移動される。
【０００３】
最近では、ズーム倍率を変更することができる、所謂光学ズーム機能を備えたデジタルカメラが一般的に普及している。この光学ズーム機能を備えた場合、上述したレンズ移動装置が光軸方向に複数配列され、これらレンズ装置のうち、上流側のレンズ移動装置によってズーム倍率の変更を行い、また、下流側のレンズ移動装置によってフォーカス調整が行われることが一般的である。
【特許文献１】特願２００３−１４９５２８号公報
【発明の開示】
【発明が解決しようとする課題】
【０００４】
しかしながら、フォーカス調整と、ズーム倍率とのそれぞれを、複数のレンズ移動装置のいずれかで行う場合、駆動モータの位置によっては、レンズ鏡筒自体が大きくなり、近年におけるカメラ本体の小型化、或いは薄型化に逆行することになる。このため、それぞれの駆動モータの駆動軸を向け合うように駆動モータを配置することで、このような欠点を解消することができるが、それぞれの駆動モータと、カメラの制御装置とを電気的に接続するフレキシブル回路基板を、それぞれの駆動モータに対して配線する必要があるため、フレキシブル回路基板の形状が複雑であり、また基板面積が大きくなるという問題がある。
【０００５】
本発明は、上記課題を解決するためになされたものであり、駆動モータ等のアクチュエータの配置によって、フレキシブル基板の形状を簡易な形状で、且つ基板面積を小さくすることができるようにしたレンズ鏡筒を提供するものである。
【課題を解決するための手段】
【０００６】
本発明のレンズ鏡筒は、レンズを保持するレンズキャリアと、前記レンズキャリアの移動方向を、入射光の光軸方向にガイドするガイド軸と、前記ガイド軸が挿通され、アクチュエータの駆動により前記レンズキャリアを前記光軸方向に移動させる駆動伝達部材とを備えたレンズ移動装置がシャッタ装置の上流側、及び下流側に配置された状態で、鏡筒本体の内部に収納されるレンズ鏡筒であって、前記シャッタ装置に対して上流側となるレンズ移動装置を駆動するアクチュエータを、前記駆動伝達部材に挿通されるガイド軸と前記鏡筒本体の内面との間で、かつ前記シャッタ装置の上面近傍に、前記シャッタ装置に対して下流側となるレンズ移動装置を駆動するアクチュエータを、前記前記駆動伝達部材に挿通されるガイド軸と前記シャッタ装置のアクチュエータが収納される収納部との間で、かつ前記シャッタ装置の下面近傍に、それぞれ配置したことを特徴とする。なお、上流側に配置されるレンズキャリアは、被写体側に配置されるレンズキャリアを示し、下流側に配置されるレンズキャリアは、ＣＣＤ等の撮像素子側に配置されるレンズキャリアを示すものとする。
【０００７】
また、前記鏡筒本体は、前記光軸方向と直交する面、及び光軸方向を含む面のそれぞれと直交する第１内壁面と、前記光軸方向と直交する面、及び前記第１内壁面のそれぞれと直交する第２内壁面とを備えた略箱形状から構成し、前記収納部を前記第１内壁面に連なって設けるとともに、前記シャッタ装置に対して上流側となるレンズ移動装置を駆動するアクチュエータを、前記第１内壁面と前記駆動伝達部材に挿通されるガイド軸との間に配置し、前記鏡筒本体に配置されるレンズ移動装置を駆動するアクチュエータの端子、及びシャッタ装置のアクチュエータの端子を前記第２内壁面から、それぞれ鏡筒本体の外部に突出させることを特徴とする。
【０００８】
この場合、前記レンズキャリアの位置をそれぞれ検知する検知装置を備え、これら検知装置を、前記駆動伝達部材に挿通されるガイド軸と前記第２内壁面との間にそれぞれ配置し、これら検知装置の端子を第２内壁面から外部に突出させることが好ましい。
【０００９】
また、前記鏡筒本体は略筒形状から構成されており、前記レンズ移動装置を駆動するアクチュエータの端子、及びシャッタ装置のアクチュエータの端子を、それぞれ前記鏡筒本体の内周面から、鏡筒本体の外部に突出させることを特徴とする。
【００１０】
この場合、前記レンズキャリアの位置をそれぞれ検知する検知装置を備え、これら検知装置を、前記駆動伝達部材に挿通されるガイド軸と前記内周面との間にそれぞれ配置し、前記検知装置の端子を前記内周面から鏡筒本体の外部に突出させることが好ましい。
【発明の効果】
【００１１】
本発明のレンズ鏡筒によれば、レンズを保持するレンズキャリアと、前記レンズキャリアの移動方向を、入射光の光軸方向にガイドするガイド軸と、前記ガイド軸が挿通され、アクチュエータの駆動により前記レンズキャリアを前記光軸方向に移動させる駆動伝達部材とを備えたレンズ移動装置がシャッタ装置の上流側、及び下流側に配置された状態で、鏡筒本体の内部に収納されるレンズ鏡筒であって、前記シャッタ装置に対して上流側となるレンズ移動装置を駆動するアクチュエータを、前記駆動伝達部材に挿通されるガイド軸と前記鏡筒本体の内面との間で、かつ前記シャッタ装置の上面近傍に、前記シャッタ装置に対して下流側となるレンズ移動装置を駆動するアクチュエータを、前記前記駆動伝達部材に挿通されるガイド軸と前記シャッタ装置のアクチュエータが収納される収納部との間で、かつ前記シャッタ装置の下面近傍に、それぞれ配置したから、例えば、これらアクチュエータを電気的に接続するフレキシブル回路基板等の基板面積を小さくすることができる。
【００１２】
また、前記鏡筒本体は、前記光軸方向と直交する面、及び光軸方向を含む面のそれぞれと直交する第１内壁面と、前記光軸方向と直交する面、及び前記第１内壁面のそれぞれと直交する第２内壁面とを備えた略箱形状から構成し、前記収納部を前記第１内壁面に連なって設けるとともに、前記シャッタ装置に対して上流側となるレンズ移動装置を駆動するアクチュエータを、前記第１内壁面と前記駆動伝達部材に挿通されるガイド軸との間に配置し、前記鏡筒本体に配置されるレンズ移動装置を駆動するアクチュエータの端子、及びシャッタ装置のアクチュエータの端子を前記第２内壁面から、それぞれ鏡筒本体の外部に突出させるから、これらアクチュエータ用のフレキシブル回路基板等の基板面積を小さくすることができる。さらに、回路基板と、端子との接続面が同一面上とすることが可能であるから、製造工程も簡易にすることができる。
【００１３】
この場合、前記レンズキャリアの位置をそれぞれ検知する検知装置を備え、これら検知装置を、前記駆動伝達部材に挿通されるガイド軸と前記第２内壁面との間にそれぞれ配置し、これら検知装置の端子を第２内壁面から外部に突出させるから、例えば、アクチュエータ用のフレキシブル回路基板に検知装置用の回路を組み込むことができるので、複雑な構成の基板面積を作成する必要が無くなり、また、回路基板の基板面積の大きさを抑制することができる。
【００１４】
また、前記鏡筒本体は略筒形状から構成されており、前記レンズ移動装置を駆動するアクチュエータの端子、及びシャッタ装置のアクチュエータの端子を、それぞれ前記鏡筒本体の内周面から、鏡筒本体の外部に突出させるから、これらアクチュエータ用のフレキシブル回路基板等の基板面積を小さくすることができる。
【００１５】
この場合、前記レンズキャリアの位置をそれぞれ検知する検知装置を備え、これら検知装置を、前記駆動伝達部材に挿通されるガイド軸と前記内周面との間にそれぞれ配置し、前記検知装置の端子を前記内周面から鏡筒本体の外部に突出させるから、例えば、アクチュエータ用のフレキシブル回路基板に検知装置用の回路を組み込むことができるので、複雑な構成の基板面積を作成する必要が無くなり、また、回路基板の基板面積の大きさを抑制することができる。
【発明を実施するための最良の形態】
【００１６】
図１及び図２に示すデジタルカメラ１０は、カメラ本体１１の前面に、撮影開口１２及びストロボ発光部１３が設けられており、上面には、電源ボタン１４及びシャッタボタン１５が設けられている。
【００１７】
カメラ本体１１の背面には、ＬＣＤ（Ｌｉｑｕｉｄ  Ｃｒｙｓｔａｌ  Ｄｉｓｐｌａｙ）１６、ズーム操作ボタン１７、カーソルボタン１８、及びモード切替ボタン１９が設けられている。モード切替ボタン１９は、撮影画像をメモリカードに記録する撮影モードと、メモリカードに記録された画像を再生する再生モードと、各種設定を行うセットアップモードとを切り替える際にユーザによって操作される。
【００１８】
ＬＣＤ１６は、画像再生に使用される他、撮影モード時には、フレーミング用のスルー画を表示する電子ビューファインダとしても機能する。また、ＬＣＤ１６は、セットアップモードに設定された時にメニュー画面を表示する。カーソルボタン１８は、このメニュー画面上でのカーソルの移動や、メニュー画面に表示された項目を選択する際に操作される。ズーム操作ボタン１７は、ズーム倍率を変更する際に操作される。
【００１９】
図３は、デジタルカメラ２に組み込まれる撮像光学系を示す説明図である。撮像光学系２０は、第１レンズ群Ｇ１、第２レンズ群Ｇ２、第３レンズ群Ｇ３、第４レンズ群Ｇ４から構成され、また、第１レンズ群Ｇ１に直角プリズムを備えた、所謂屈曲光学系から構成されている。
【００２０】
第１レンズ群Ｇ１は、第１レンズ２５、直角プリズム２６、第２レンズ２７とから構成されている。第１レンズ２５は、撮影開口１２の背面側に配置され、被写体光を取り込んで、直角プリズム２６の光入射面２６ａへと出射する。直角プリズム２６は第１レンズ２５からの被写体光を入射する光入射面２６ａと、光入射面２６ａからプリズム内部に入射した光軸Ｌ１の被写体光を９０°屈曲させて光軸Ｌ２の被写体光とする光反射面２６ｂと、光反射面２６ｂで反射された被写体光を出射する光出射面２６ｃとから構成される。第２レンズ２７は、直角プリズム２６から出射した光軸Ｌ２方向の被写体光を、第２レンズ群Ｇ２に向けて出射する。
【００２１】
第２レンズ群Ｇ２は、後述するレンズキャリア６６に保持されており、図３中Ａ方向、或いは図３中Ｂ方向に移動させることによって、撮影時のズーム倍率が変更される。なお、詳細は記載しないが、この第２レンズ群Ｇ２は、１枚のレンズからでも、複数枚のレンズから構成されていてもよいものとする。第３レンズ群Ｇ３は、第２レンズ群Ｇ２からの被写体光を、第４レンズ群Ｇ４に入射させるために設けられている。
【００２２】
第４レンズ群Ｇ４は、後述するレンズキャリア６７に保持されており、図３中Ｃ方向、或いは図３中Ｄ方向に微小移動させることによって、フォーカス調整が行われる。この第４レンズ群Ｇ４から出射した被写体光は、ローパスフィルタ２７を透過した後に、ＣＣＤイメージセンサ２８の結像面で結像される。なお、ローパスフィルタ２７は、モアレや擬色の発生を防止するために設けられている。
【００２３】
図４〜図６に示すように、レンズ鏡筒３０は、収納箱３１と、この収納箱３１の開口された部分に組み付けられる前面蓋３２とから構成された鏡筒本体３３と、ズーム駆動モータ４５、フォーカス駆動モータ４６、フォトインタラプタ５５，５６、レンズ移動ユニット６５とから構成されている。
【００２４】
収納箱３１は、略箱形状からなる基部３１ａに対して、図５中左方側面の略中央が、基部３１ａから突出した形状（以下、収納部３１ｂ）から構成されている。この収納箱３１の基部３１ａには、ズーム駆動モータ４５、フォーカス駆動モータ４６やフォトインタラプタ５５，５６、レンズ移動ユニット６５が収納される。なお、上述した収納部３１ｂには、シャッタ装置７２の駆動源となるシャッタ駆動モータ９２が収納される。
【００２５】
この収納箱３１の上面には、プリズム２６を収納するプリズム収納部３４、及び第１レンズ２５を保持するレンズ保持部３５がそれぞれ設けられている。プリズム収納部３４の両側部には、後述するガイド軸７０，７１の上端部が挿入される挿入溝部３６，３７が設けられている。
【００２６】
収納箱３１の下面には、ローパスフィルタ２７や、ＣＣＤイメージセンサ２８が組み付けられる組付け部３８が設けられている。この組付け部３８の両側部であって、上述した挿入溝部３６，３７に対向する位置には、ガイド軸７０，７１の下端部が挿入される挿入溝部３９，４０が設けられている。また、この収納箱３１には、レール溝部４１，４２が設けられており、レンズ移動ユニット６５を収納箱３１に収納する際に、シャッタ装置７２を収納箱３１の所定位置に位置決めする。
【００２７】
この収納箱３１の基部３１ａの内壁面３１ｄ、３１ｅには、後述するレンズキャリア６６，６７を光軸Ｌ２方向に移動させる駆動源となるズーム駆動モータ４５、フォーカス駆動モータ４６が、それぞれブラケット４７，４８を介してネジ４９等により固定される。なお、ブラケット４７を収納箱３１に組み付ける場合には、ネジ４９は、基部３１ａの内壁面３１ｄに設けられた開口３１ｆ、３１ｇを介して、ブラケット４７のネジ孔４７ａ、４７ｂに螺合される。同様に、ブラケット４７を収納箱３１に組み付ける場合には、ネジ４９は、基部３１ａの内壁面３１ｅに設けられた開口３１ｈ、３１ｉを介してネジ孔４８ａ，４８ｂに螺合される。このとき、ズーム駆動モータ４５、フォーカス駆動モータ４６の端子４５ａ，４６ａが、基部３１ａの内壁面３１ｊに設けられた開口５１，５２にそれぞれ挿通される。なお、符号５３は、シャッタ装置７２に設けられるシャッタ駆動モータ９２の端子９２ａが挿通される開口である。
【００２８】
また、この収納箱３１には、レンズキャリア６６，６７の基準位置を検知するためのフォトインタラプタ５５，５６が収納箱３１の内壁面３１ｊに組み付け固定される。例えばフォトインタラプタ５５を収納箱３１に組み付ける場合、その端子５５ａ〜５５ｄをそれぞれ開口５７ａ〜５７ｄに挿通させた後に、接着剤等によって収納箱３１に固定する。同様にして、フォトインタラプタ５６を収納箱３１に組み付ける場合、その端子５６ａ〜５６ｄをそれぞれ開口５８ａ〜５８ｄに挿通させた後に、接着剤等によって収納箱３１に固定する。なお、符号６０は開口であり、後述する第３レンズ群Ｇ３のレンズホルダ９３の位置調整レバー９３ｂが挿通される。
【００２９】
前面蓋３２は、収納箱３１の開口された部分を遮蔽するために設けられている。この前面蓋３２は、収納箱３１にネジ６１を、収納箱３１のネジ穴３１ｋ〜３１ｐに螺合させることで組み付けられる。なお、符号３２ａ〜３２ｆは、ネジ６１が挿通される開口である。この前面蓋３２の上部は、円弧状に切り欠かれており、前面蓋３２を収納箱３１に組み付けると、この切り欠かれた部分が、レンズ保持部３４の周面に当接される。
【００３０】
この前面蓋３２の上方、或いは下方には、所定の間隔を空けて、ズレ防止片６２ａ〜６２ｄが設けられている。ズレ防止片６２ａ、６２ｂは、収納箱３１の軸受け溝部３５，３６にそれぞれ挿入され、位置決めされたガイド軸７０，７１の上端の周面にそれぞれ当接し、ガイド軸７０，７１の位置ズレを防止する。同様にして、ズレ防止片６２ｃ、６２ｄは、収納箱３１の軸受け溝部３８，３９に挿入され、位置決めされたガイド軸７０の下端の周面にそれぞれ当接し、ガイド軸７０，７１の下端部の位置ズレを防止する。なお、符号３２ｇは開口であり、この開口３２ｇは、第３レンズ群を保持するレンズホルダの位置調整レバー９３ａが挿通される。
【００３１】
図７は、レンズ移動ユニット６５の構成を示す斜視図である。レンズ移動ユニット６５は、レンズホルダ６６，６７、駆動伝達板６８，６９、ガイド軸７０，７１、シャッタ装置７２から構成される。なお、レンズホルダ６６、駆動伝達板６８及びガイド軸７０，７１によって、シャッタ装置７２よりも上流側のレンズ移動装置が、レンズホルダ６７、駆動伝達板６９及びガイド軸７０，７１によって、シャッタ装置７２よりも下流側のレンズ移動装置がそれぞれ構成されている。
【００３２】
レンズキャリア６６は、円筒形状のキャリア本体６６ａと、ガイド軸７０が挿通される軸挿入部６６ｂとから構成される。キャリア本体６６ａは、第２レンズ群Ｇ２を保持するために設けられている。このキャリア本体６６ａには、ガイド軸７１の半径と同一の幅を空けて設けられた支持片７３，７４が設けられている。これら支持片７３，７４は、ガイド軸７１を挟持し、レンズキャリア６６の移動時の位置ズレを防止する。
【００３３】
軸挿入部６６ｂは、軸方向の略中央が切り欠かれて形成された空間（以下、収納部７５）が設けられ、この収納部７５に駆動伝達板６８の軸挿通部６８ａと、圧縮バネ７６とが収納される。収納部７５に駆動伝達板６８の軸挿入部６８ａと、圧縮バネ７６とが収納されることで、駆動伝達板６８が収納部７５の上壁面に押圧された状態で保持される。この軸挿入部６６ｂに設けられた軸穴７７，７８には、ガイド軸７０が挿通される。また、この軸挿入部６６ｂには、位置検知片７９が設けられており、この位置検知片７９は、フォトインタラプタ５５によって検知することで、レンズキャリア６６の位置が把握される。
【００３４】
レンズキャリア６７は、円筒形状のキャリア本体６７ａと、ガイド軸７０が挿通される軸挿入部６７ｂとから構成されている。キャリア本体６７ａは、第４レンズ群Ｇ４を保持するために設けられている。このキャリア本体６７ａの外周面からは、ガイド軸７１の半径と同一の幅を空けて設けられた支持片８０，８１とから構成される。これら支持片８０，８１は、ガイド軸７１を挟持するために設けられている。
【００３５】
軸挿入部６７ｂは、その光軸方向の略中央が切り欠かれて形成された空間（以下、収納部８２）が設けられ、この収納部８２に駆動伝達板６９の軸挿通部６９ａと、圧縮バネ８３とが収納される。収納部８２に駆動伝達板６９の軸挿通部６９ａと、圧縮バネ８３とが収納されることで、駆動伝達板６９が収納部８２の上壁面に押圧された状態で保持される。なお、この軸挿入部６７ｂに設けられた軸穴８４，８５には、ガイド軸７０が挿通される。また、この軸挿入部６７ｂには、位置検知片８６が設けられており、この位置検知片８６は、フォトインタラプタ５６によって検知することで、レンズキャリア６７の位置が把握される。
【００３６】
駆動伝達板６８は、略Ｆ字状から構成されている。その一端には、ガイド軸７０が挿通される軸挿通部６８ａが設けられている。この軸挿通部６８ａの中央には開口８６が形成されており、この開口８６にガイド軸７０が挿通される。駆動伝達板６８の他端は、その長手方向に直交するように、支持片６８ｂ、６８ｃが所定の間隔を空けて設けられている。この支持片６８ｂと支持片６８ｃとの向かい合う壁面６８ｄ，６８ｅには、ラックが形成されており、このラックにズーム駆動モータ４５のネジ軸４５ｂが螺合する。
【００３７】
駆動伝達板６９は、略Ｆ字状から構成されている。その一端には、ガイド軸７０が挿通される軸挿通部６９ａが設けられている。この軸挿通部６９ａの中央には開口８７が形成されており、この開口８７にガイド軸７０が挿通される。駆動伝達板６９の他端は、その長手方向に直交するように、支持片６９ｂ、６９ｃが所定の間隔を空けて設けられている。この支持片６９ｂと支持片６９ｃとの向かい合う壁面６９ｄ，６９ｅには、ラックが形成されており、このラックにフォーカス駆動モータ４６のネジ軸４６ｂが螺合する。
【００３８】
ガイド軸７０，７１は、シャッタ装置７２に挿通されており、その上端側から、上述したレンズキャリア６６が、下端側からレンズキャリア６７がそれぞれ組み付けられる。このガイド軸７０，７１は、レンズキャリア６６，６７の移動方向を光軸Ｌ２方向にガイドする。
【００３９】
シャッタ装置７２は、詳細は記載しないが、２枚のシャッタ羽根９０，９１と、シャッタシャッタ駆動モータ９２と、シャッタ駆動モータ９２の駆動軸に固定されたコマ部材（図示省略）とを備えた構成となっている。このシャッタ装置７２のシャッタ駆動モータ９２に通電が行われると、コマ部材が回転し、コマ部材に連結された２枚のシャッタ羽根９０，９１が相反する方向に移動し、これらシャッタ羽根によって形成された露光開口の面積が変化し、絞り値が変化する。また、シャッタボタン１５が押圧操作され撮影が行われると、これらシャッタ羽根９０，９１によって形成された露光開口が一旦遮蔽され、ＣＣＤイメージセンサ２８への被写体光が遮断される。このとき、ＣＣＤイメージセンサ２８において、光電変換により得られた電荷が、制御回路基板（図示せず）に向けて出力される。なお、符号９３は第３レンズ群Ｇ３を保持するレンズホルダである。このレンズホルダ９３には、位置調整レバー９３ａ、９３ｂが線対称となるように設けられている。この位置調整レバー９３ａ、９３ｂは、前面蓋３２の開口３２ｇ、及び収納箱３１の開口６０から、それぞれ外部に突出する。この位置調整レバー９３ａ、９３ｂは位置調整を行った後に切り取られる。
【００４０】
次に、本実施形態の作用を説明する。上述したレンズ鏡筒２９は、次のようにして作成される。まず、図６に示すように、ブラケット４７に組み付けられたズーム駆動モータ４５を収納箱３１にそれぞれ組み付ける。このとき、ズーム駆動モータ４５の端子４５ａを収納箱３１に設けられた開口５１に挿通させた後に、ブラケット４７を収納箱３１にネジ４９を用いて固定する。同様にして、ブラケット４８に組み付けられたフォーカス駆動モータ４６の端子４６ａを収納箱３１の開口５２に挿通させた後に、ネジ４６を用いてブラケット４８を収納箱３１に組み付ける。これにより、ズーム駆動モータ４５のネジ軸４５ａ，フォーカス駆動モータ４６のネジ軸４６ａが、相反する方向に突出した状態で保持される。
【００４１】
図７に示すように、ズーム駆動モータ４５，フォーカス駆動モータ４６を組み付けた後に、フォトインタラプタ５５，５６を収納箱３１に組み付ける。例えば、フォトインタラプタ５５を組み付ける場合には、その端子４５ａ〜４５ｄを、それぞれ開口５７ａ〜５７ｄに挿通させた後に収納箱３１に対して接着固定する。なお、フォトインタラプタ５６の組み付けに関しても同様であるから、ここでは、その詳細を省略する。
【００４２】
一方、レンズ移動ユニット６５は、次のようにして作成される。まず、シャッタ装置７２を組み立てたときに、ガイド軸７０，７１を一体に組み付ける。その後、第２レンズ群Ｇ２が保持されたレンズキャリア６６をガイド軸７０，７１の上端側から、第４レンズ群Ｇ４が保持されたレンズキャリア６７をガイド軸７０，７１の下端側から、それぞれ組み付ける。例えばレンズキャリア６６の軸挿入部６６ｂに設けられた収納部７５に、駆動伝達板６８の軸挿入部６８ａと、圧縮バネ７６とを収納した状態で、ガイド軸７０を軸穴７７，７８に挿通させる。これにより、駆動伝達板６８が、圧縮バネ７６の付勢を受けて収納部７５の上壁面に当接された状態で保持される。レンズキャリア６６についても同様であるので、ここでは、その説明を省略する。その後、シャッタ装置７２の上面に、第３レンズ群Ｇ３を保持したレンズホルダ９３をセットすることで、レンズ移動ユニット６５が完成する。
【００４３】
図５に示すように、完成したレンズ移動ユニット６５は、ズーム駆動モータ４５、フォーカス駆動モータ４６及びフォトインタラプタ５５，５６が組み込まれた収納箱３１に組み込む。このとき、収納箱３１に設けられたレール溝部４１に、シャッタ装置７２の図５中左方の端部を、レール溝部４２に、シャッタ装置７２の図５中右方の端部をそれぞれ挿入し、収納箱３１の内部に押し込む。このとき、ガイド軸７０は、ガイド軸７０の上端部が挿入溝部３６に、ガイド軸７０の下端部が挿入溝部３９にそれぞれ挿入される。同時に、ガイド軸７１の上端部が挿入溝部３７に、ガイド軸７０の下端部が挿入溝部４０にそれぞれ挿入される。そして、レンズ移動ユニット６５を収納箱３１の内部に押し込むと、シャッタ装置７２のシャッタ駆動モータ９２の端子９２ａが収納箱３１に設けられた開口５３に挿通される。その後、駆動伝達板６８の支持片６８ｂ、６８ｃの間にズーム駆動モータ４５のネジ軸４５ｂを挿入させ、壁面６８ｄ，６８ｅに設けられたラックと、駆動ネジ軸４５ｂとを噛合させる。同様にして、駆動伝達板６９の支持片６９ｂ、６９ｃの間にフォーカス駆動モータ４６のネジ軸４６ｂを挿入させ、壁面６９ｄ，６９ｅに設けられたラックと、駆動ネジ軸４６ｂとを噛合させる。
【００４４】
その後、収納箱３１の前面から前面蓋３２をネジ６１等により組み付ける。このとき、レンズホルダ９３の位置調整レバー９３ａが前面蓋３２の開口３２ｇから、レンズホルダ９３の位置調整レバー９３ｂが収納箱３１の開口６０から、それぞれ突出する。その後、これら位置調整レバー９３ａ、９３ｂを用いて、第３レンズ群Ｇ３の位置調整を行った後、位置調整レバー９３ａ、９３ｂを破断する。なお、開口３２ｇ、６０は、図示しない蓋によって被覆される。これにより、レンズ鏡筒２９が完成する。
【００４５】
図９〜図１１に示すように、レンズ移動ユニット６５が収納箱３１に組み込まれると、ズーム駆動モータ４５は、ガイド軸７０と、収納箱３１の内壁面３１ｄとの間に、またシャッタ装置７２の上面近傍に保持される。フォーカス駆動モータ４６は、ガイド軸７０と、収納部３１ｂとの間に、また、シャッタ装置７２の下面近傍に保持される。なお、収納部３１ｂにはシャッタ駆動モータ９２が収納されるから、シャッタ装置７２のシャッタ駆動モータ９２の近傍にフォーカス駆動モータ４６が保持されることになる。これにより、ズーム駆動モータ４５、フォーカス駆動モータ４６、シャッタ駆動モータ９２が近接して設けられることになる。なお、ズーム駆動モータ４５、フォーカス駆動モータ４６は、収納箱３１の内壁面３１ｊに設けられた開口５１，５２を介して収納箱３１の外部にそれぞれ突出しており、また、シャッタ駆動モータ９２も開口５３を介して収納箱３１の外部に突出しているので、これら端子が略同一平面上に位置することになる。
【００４６】
また、フォトインタラプタ５５，５６が、収納箱３１の内壁面３１ｊと、ガイド軸７０との間にそれぞれ配置されており、また、フォトインタラプタ５５の端子５５ａ〜５５ｄが挿通孔５７ａ〜５７ｄを介して、フォトインタラプタの端子が挿通孔５８ａ〜５８ｄを介して、それぞれ収納箱３１の外部に突出しているから、これら端子も同一平面上に位置することになる。さらに、位置検知片７９がレンズキャリア６６の軸挿入部６６ｂに、位置検知片８６がレンズキャリア６７の軸挿入部６７ｂにそれぞれ設けられていることより、フォトインタラプタ５５がズーム駆動モータ４５の近傍に、フォトインタラプタ５６がフォーカス駆動モータの近傍にそれぞれ配置されているので、フォトインタラプタの端子が、駆動モータの端子の近傍に位置することになる。
【００４７】
図１２に示すように、完成したレンズ鏡筒２９には、ズーム駆動モータ４５、フォーカス駆動モータ４６，シャッタ駆動モータ９２をそれぞれ駆動制御するための回路を備えたフレキシブル回路基板１００が組み付けられる。なお、この際、レンズ鏡筒２９の後面から突出したズーム駆動モータ４５の端子４５ａ、フォーカス駆動モータ４６の端子４６ａ、シャッタ駆動モータ９２の端子９２ａが、それぞれフレキシブル回路基板１００の回路に接続されるように、ハンダ付けされる。また、フォトインタラプタ５５の端子５５ａ〜５５ｄ、フォトインタラプタ５６の端子５６ａ〜５６ｄも収納箱３１の後面から突出しているので、フレキシブル回路基板の回路と接続されるようにハンダ付けされる。上述したように、ズーム駆動モータ４５の端子４５ａ、フォーカス駆動モータ４６の端子４６ａ、シャッタ駆動モータ９２、フォトインタラプタ５５の端子５５ａ〜５５ｄ、フォトインタラプタ５６の端子５６ａ〜５６ｄはそれぞれ近接していることから、これら端子が接続されるフレキシブル回路基板１００の基板面積を小さくすることができる他に、フレキシブル回路基板の基板構成を簡易なものとすることができる。
【００４８】
なお、本実施形態では、略箱形状の収納箱、及び前面蓋からなる鏡筒本体の例を取り上げたが、これに限定する必要はなく、例えば円筒形状からなる鏡筒本体としてもよい。図１３に示すように、シャッタ装置に設けられるシャッタ駆動モータ１１１、ズーム駆動モータ１１２、フォーカス駆動モータ１１３及びレンズキャリアの位置を検知する検知センサ１１４をそれぞれ、鏡筒本体１１５の内周面１１５ａに沿って配置する。そして、シャッタ駆動モータ１１１の端子１１１ａ、ズーム駆動モータ１１２の端子１１２ａ、フォーカス駆動モータ１１３の端子１１３ａ、検知センサ１１４の端子１１４ａ，１１４ｂをそれぞれ、鏡筒本体１１５から突出させる。この場合も、これら端子の位置が円筒からなる鏡筒本体１１５の外周面１１５ｂに沿って位置することになり、これら端子を接続する回路が設けられたフレキシブル回路基板を簡易な構成で、且つ基板面積を小さくすることができる。
【図面の簡単な説明】
【００４９】
【図１】デジタルカメラの前面の外観を示す斜視図である。
【図２】デジタルカメラの後面の外観を示す斜視図である。
【図３】撮像光学系の構成を示す説明図である。
【図４】前面蓋を収納箱から取り外した状態を示す斜視図である。
【図５】レンズ移動ユニットを収納箱から取り外した状態を示す斜視図である。
【図６】ズーム駆動モータ及びフォーカス駆動モータを収納箱から取り外した状態を示す斜視図である。
【図７】フォトインタラプタを収納箱から取り外した状態を示す斜視図である。
【図８】レンズ移動ユニットを分解して示す斜視図である。
【図９】前面蓋を収納箱から取り外したときの収納箱の内部構成を示す正面図である。
【図１０】図９に示すＳ−Ｓ’断面を示す断面図である。
【図１１】図９に示すＴ−Ｔ’断面を示す断面図である。
【図１２】レンズ鏡筒の後面の構成を示す斜視図である。
【図１３】鏡筒本体が円筒形状からなる場合の、ズーム駆動モータ、フォーカス駆動モータ、シャッタ駆動モータ、及び検知センサの配置位置の概略を示す断面図である。
【符号の説明】
【００５０】
２  デジタルカメラ
２９  レンズ鏡筒
３１  収納箱
３１ｂ  収納部
３１ｄ  内壁面（第１内壁面）
３１ｊ  内壁面（第２側壁面）
３２  前面蓋
３３  鏡筒本体
６５  レンズ移動ユニット
４５  ズーム駆動モータ
４６  フォーカス駆動モータ
５１，５２，５３  開口
５５，５６  フォトインタラプタ
４５ａ，４６ａ，５５ａ〜５５ｄ，５６ａ〜５６ｄ，９２ａ  端子
６６，６７  レンズキャリア
６８，６９  駆動伝達板
７０，７１  ガイド軸
９２  シャッタ駆動モータ
【図１】
0004781772.tif 000002
【図２】
0004781772.tif 000003
【図３】
0004781772.tif 000004
【図４】
0004781772.tif 000005
【図５】
0004781772.tif 000006
【図６】
0004781772.tif 000007
【図７】
0004781772.tif 000008
【図８】
0004781772.tif 000009
【図９】
0004781772.tif 000010
【図１０】
0004781772.tif 000011
【図１１】
0004781772.tif 000012
【図１２】
0004781772.tif 000013
【図１３】
0004781772.tif 000014